(57)【要約】  複数の加入を持つ移動体通信デバイスは、第１の識別モジュール（第１のＳＩＭ）と、第２の識別モジュール（第２のＳＩＭ）と、制御装置とに通信可能に結合されている単一のＢＢ−ＲＦリソースチェーンを備える。第１の識別モジュールと第２の識別モジュールは、第１の加入と第２の加入にそれぞれ関係付けられている。制御装置は、第１の加入に対応する第１のアクティビティを、または、第２の加入に対応する第２のアクティビティを実行するために、単一のＢＢ−ＲＦリソースチェーンへのアクセスを調停するように構成されていてもよい。例えば、制御装置は、単一のＢＢ−ＲＦリソースチェーンによって音声通話が処理されるべきであることを示す情報を受信したことに応答して、単一のＢＢ−ＲＦリソースチェーンによって処理されているデータセッションを中断してもよい。【特許請求の範囲】
【請求項１】
移動体通信デバイスにおいて、
単一のベースバンド無線周波数（ＢＢ−ＲＦ）リソースチェーンと、
前記単一のＢＢ−ＲＦリソースチェーンに通信可能に結合されており、第１の加入に関係付けられている、第１の識別モジュールと、
前記単一のＢＢ−ＲＦリソースチェーンに通信可能に結合されており、第２の加入に関係付けられている、第２の識別モジュールと、
前記単一のＢＢ−ＲＦリソースチェーンに通信可能に結合されている制御装置とを具備し、
前記制御装置は、前記第１の加入に対応する第１のアクティビティと、前記第２の加入に対応する第２のアクティビティとのうちの１つを実行するために、前記単一のＢＢ−ＲＦリソースチェーンへのアクセスを調停するように構成され、
前記制御装置は、音声通話が、前記単一のＢＢ−ＲＦリソースチェーンにより処理されるべきであることを示す情報を受信したことに応答して、前記単一のＢＢ−ＲＦリソースチェーンによって処理されているデータセッションを中断するように構成されている移動体通信デバイス。
【請求項２】
前記音声通話は、発信音声通話を含む、請求項１記載の移動体通信デバイス。
【請求項３】
前記音声通話は、到来音声通話を含み、前記データセッションは、前記到来音声通話に関係付けられている到来ページを受信するために離調するように中断される、請求項１記載の移動体通信デバイス。
【請求項４】
前記制御装置は、ユーザ選択された加入の優先度に基づいて、および、前記第２のアクティビティと比較した、前記第１のアクティビティの相対的な重要度にさらに基づいて、前記単一のＢＢ−ＲＦリソースチェーンへのアクセスを調停するように構成されている、請求項１記載の移動体通信デバイス。
【請求項５】
前記データセッションは、デフォルト設定に基づいて行われ、前記デフォルト設定は、前記データセッションを行うためのデフォルト加入として、前記第１の加入と、前記第２の加入とのうちの１つを指定する、請求項１記載の移動体通信デバイス。
【請求項６】
前記デフォルト加入は、ユーザ選択可能である、請求項５記載の移動体通信デバイス。
【請求項７】
前記単一のＢＢ−ＲＦリソースチェーンは、
受信ダイバーシティをサポートするモデムを具備し、
前記モデムは、１次信号入力と、２次信号入力とを含み、
前記モデムは、前記制御装置に応答して、
前記１次信号入力において、前記第１の加入に関連する第１の通信データを受信し、
前記２次信号入力において、前記第２の加入に関連する第２の通信データを受信し、
前記第１の加入に関連する第１の通信データを処理し、前記第２の加入に関連する第２の通信データを処理し、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる、請求項１記載の移動体通信デバイス。
【請求項８】
前記第１の通信データは、音声通話情報と、データ通話情報とのうちの１つを含み、前記第２の通信データが、送信機の使用を必要とする手順に関係付けられているときに、前記第２の通信データは、前記モデムにおいて処理されない、請求項７記載の移動体通信デバイス。
【請求項９】
前記第１の通信データは、タイミングクリティカルでない捕捉またはチャネルメンテナンス手順に関係付けられており、前記第２の通信データは、別のタイミングクリティカルでない捕捉またはチャネルメンテナンス手順に関係付けられている、請求項７記載の移動体通信デバイス。
【請求項１０】
前記第１の通信データは、到来通話に対するタイミングクリティカルなページ復調手順に関係付けられており、前記第２の通信データは、別の到来通話に対する別のタイミングクリティカルなページ復調手順に関係付けられている、請求項７記載の移動体通信デバイス。
【請求項１１】
前記第１の通信データは、優先度の低いデータ通話に関係付けられており、前記第２の通信データが、送信機の使用を必要とする手順に関係付けられているときに、前記第２の通信データは、前記モデムにおいて処理されない、請求項７記載の移動体通信デバイス。
【請求項１２】
方法において、
受信ダイバーシティをサポートするモデムの１次信号入力において、移動体通信デバイスの第１の加入に関連する第１の通信データを受信することと、
前記モデムの２次信号入力において、第２の加入に関連する第２の通信データを受信することと、
前記モデムにおいて、前記第１の加入に関連する第１の通信データを処理し、前記第２の加入に関連する第２の通信データを処理することとを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる方法。
【請求項１３】
前記移動体通信デバイスは、前記１次ＲＦ処理パスに関係付けられている１次アンテナを備え、前記移動体通信デバイスは、前記２次ＲＦ処理パスに関係付けられている２次アンテナを備える、請求項１２記載の方法。
【請求項１４】
前記移動体通信デバイスは、前記１次アンテナと通信可能であり、前記１次ＲＦ処理パスを介して前記１次信号入力に通信可能に結合されている、第１のアナログデジタルコンバータを備え、前記移動体通信デバイスは、前記２次アンテナに通信可能に結合されており、前記２次ＲＦ処理パスを介して、前記２次信号入力に通信可能に結合されている、第２のアナログデジタルコンバータを備える、請求項１３記載の方法。
【請求項１５】
装置において、
第１の加入に関係付けられている第１の識別モジュールを受け取る手段と、
第２の加入に関係付けられている第２の識別モジュールを受け取る手段と、
前記第１の加入に対応する第１のアクティビティと、前記第２の加入に対応する第２のアクティビティとのうちの１つを実行するために、単一のベースバンド無線周波数（ＢＢ−ＲＦ）リソースチェーンへのアクセスを調停する手段とを具備し、
前記単一のＢＢ−ＲＦリソースチェーンによって処理されているデータセッションは、音声通話が、前記単一のＢＢ−ＲＦリソースチェーンによって処理されるべきであることを示す情報を受信したことに応答して、中断される装置。
【請求項１６】
ユーザ選択された加入の優先度を受信する手段をさらに具備し、前記単一のＢＢ−ＲＦリソースチェーンへのアクセスは、前記ユーザ選択された加入の優先度と、前記第２のアクティビティと比較した、前記第１のアクティビティの相対的な重要度とに基づいている、請求項１５記載の装置。
【請求項１７】
前記データセッションを行うためのデフォルト加入として、前記第１の加入と、前記第２の加入とのうちの１つを指定するデフォルト設定のユーザ選択を受信する手段をさらに具備する、請求項１６記載の装置。
【請求項１８】
コンピュータ読取可能有体的媒体において、プロセッサによって実行されるときに、前記プロセッサに、
受信ダイバーシティをサポートするモデムの１次信号入力において、移動体通信デバイスの第１の加入に関連する第１の通信データを受信させる命令と、
前記モデムの２次信号入力において、第２の加入に関連する第２の通信データを受信させる命令と、
前記モデムにおいて、前記第１の加入に関連する第１の通信データを処理させ、前記第２の加入に関連する第２の通信データを処理させる命令とを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされるコンピュータ読取可能有体的媒体。
【請求項１９】
前記プロセッサによって実行されるときに、前記プロセッサに、
前記第１の通信データが、音声通話情報とデータ通話情報とのうちの１つを含むか否かを決定させる命令と、
前記第１の通信データが、音声通話情報とデータ通話情報とのうちの１つを含むという決定に応答して、前記第２の通信データが、送信機の使用を必要とする手順に関係付けられているときに、前記第２の通信データを前記モデムにおいて処理させない命令とをさらに含む、請求項１８記載のコンピュータ読取可能有体的媒体。
【請求項２０】
前記プロセッサによって実行されるときに、前記プロセッサに、
前記第１の通信データが、優先度の低いデータ通話に関係付けられているか否かを決定させる命令と、
前記第１の通信データが、優先度の低いデータ通話に関係付けられているという決定に応答して、前記第２の通信データが、送信機の使用を必要とする手順に関係付けられているときに、前記第２の通信データを前記モデムにおいて処理させない命令とをさらに含む、請求項１８記載のコンピュータ読取可能有体的媒体。
【発明の詳細な説明】
【優先権の主張】
【０００１】
本出願は、２０１０年３月５日に出願され、その内容がすべて、参照によりここに明示的に組み込まれている、米国特許出願第６１／３１１，０９０号に対する優先権を主張する。
【分野】
【０００２】
本開示は、一般的に、単一のベースバンド無線周波数（ＢＢ−ＲＦ）リソースチェーンを利用する、複数の加入を持つデバイスに関する。
【関連技術の説明】
【０００３】
技術の進歩は、より小型で、より強力なコンピューティングデバイスを結果として生じさせている。例えば、現在、小型で、軽量、かつ、ユーザによって持ち運びが容易なページングデバイスと、ポータブルワイヤレス電話機と、パーソナルデジタルアシスタント（ＰＤＡ）とのような、ワイヤレスコンピューティングデバイスを含む、さまざまなポータブルパーソナルコンピューティングデバイスが存在する。さらに詳細には、セルラ電話機およびインターネットプロトコル（ＩＰ）電話機のような、ポータブルワイヤレス電話機が、ワイヤレスネットワークを通して、音声およびデータパケットを通信できる。さらに、多くのこのようなワイヤレス電話機は、その中に組み込まれる他のタイプのデバイスを備える。例えば、ワイヤレス電話機は、デジタルスチルカメラと、デジタルビデオカメラと、デジタルレコーダと、オーディオファイルプレーヤーも備えることができる。また、このようなワイヤレス電話機は、インターネットにアクセスするのに使用できるウェブブラウザアプリケーションのような、ソフトウェアアプリケーションを含む、実行可能な命令を処理できる。そうであるので、これらのワイヤレス電話機は、著しい計算能力を含むことができる。
【０００４】
移動体通信デバイスにより、（同じまたは異なるネットワークに関係付けられていてもよい）複数の加入を、ユーザが利用することが可能になる。例示のために、デュアルＳＩＭデュアルスタンバイ（ＤＳＤＳ）デバイスの第１の加入者識別モジュール（ＳＩＭ）は、第１の加入に関係付けられていてもよく、第２のＳＩＭは、第２の加入に関係付けられていてもよい。単一のベースバンド無線周波数（ＢＢ−ＲＦ）リソースチェーンを使用するＤＳＤＳデバイスは、異なる加入上での同時サービスをサポートできないことがある。例えば、１つの加入上での通話の間に、他の加入は、使用できないかもしれず、結果として、潜在的に欠落した通話を生じさせる。別の例として、１つの加入上での他のモデム手順（例えば、再選択、登録等のような、移動性手順）は、結果として、他の加入上での一時的なサービス損失を生じさせるかもしれない。２つの別々の専用ＢＢ−ＲＦリソースチェーンを、２つの加入に対して使用することにより、ＤＳＤＳデバイスは、デュアル加入並行処理をサポートできるが、これは、より多くの部品表（ＢＯＭ）と、より大きなプリント基板（ＰＣＢ）領域とにつながることがある。
【概要】
【０００５】
優先度の高い加入またはアクティビティに対する性能の影響を管理するために、制御装置を使用して、複数の加入を含む移動体通信デバイスの単一のＢＢ−ＲＦリソースチェーンへのアクセスを調停してもよい。さらに、モデムの受信ダイバーシティ能力は、複数の加入に関連する通信データ（例えば、音声通話データまたはパケット交換されたＩＰデータ）を並行して受信する能力を提供してもよい。
【０００６】
特定の実施形態では、移動体通信デバイスは、単一のベースバンド無線周波数（ＢＢ−ＲＦ）リソースチェーンを備える。第１の識別モジュール（例えば、第１のＳＩＭ）と、第２の識別モジュール（例えば、第２のＳＩＭ）と、制御装置とは、単一のＢＢ−ＲＦリソースチェーンに通信可能に結合されている。第１の識別モジュールは、第１の加入に関係付けられており、第２の識別モジュールは、第２の加入に関係付けられている。制御装置は、第１の加入に対応する第１のアクティビティを、または、第２の加入に対応する第２のアクティビティを実行するために、単一のＢＢ−ＲＦリソースチェーンへのアクセスを調停するように構成されていてもよい。制御装置は、単一のＢＢ−ＲＦリソースチェーンによって音声通話が処理されるべきであることを示す情報を受信したことに応答して、単一のＢＢ−ＲＦリソースチェーンによって処理されているデータセッションを中断してもよい。
【０００７】
複数の加入を持つ移動体通信デバイスは、受信ダイバーシティをサポートするモデムを備える。特定の実施形態では、方法は、モデムの１次信号入力において、第１の通信データを受信することを含む。第１の通信データは、第１の加入に関連しており、１次無線周波数（ＲＦ）処理パスを介して、モデムの１次信号入力にルーティングされる。方法はまた、モデムの２次信号入力において、第２の加入に関連する第２の通信データを受信することを含む。第２の通信データは、２次ＲＦ処理パスを介して、２次信号入力にルーティングされる。方法は、モデムにおいて、第１の加入に関連する第１の通信データを処理し、第２の加入に関連する第２の通信データを処理することを含む。
【０００８】
別の特定の実施形態では、装置は、第１の加入に関係付けられている第１の識別モジュール（例えば、第１のＳＩＭ）を受け取る手段と、第２の加入に関係付けられている第２の識別モジュール（例えば、第２のＳＩＭ）を受け取る手段とを具備する。装置はまた、第１の加入に対応する第１のアクティビティを、または、第２の加入に対応する第２のアクティビティを実行するために、単一のＢＢ−ＲＦリソースチェーンへのアクセスを調停する手段を具備する。単一のＢＢ−ＲＦリソースチェーンによって音声通話が処理されるべきであることを示す情報を受信したことに応答して、単一のＢＢ−ＲＦリソースチェーンによって処理されているデータセッションが中断されてもよい。
【０００９】
開示する実施形態のうちの少なくとも１つによって提供される１つの特定の利点は、単一のＢＢ−ＲＦリソースチェーンを利用するマルチ加入デバイスの性能を改善できることである。例えば、優先度の高い加入またはアクティビティに対する性能の影響は、単一のＢＢ−ＲＦリソースチェーンへのアクセスを調停することにより、管理されてもよい。別の例として、受信ダイバーシティは、複数の加入に関連する通信データを並行して受信する能力を提供してもよい。
【００１０】
以下の、図面の簡単な説明、詳細な説明、および、特許請求の範囲のセクションを含む明細書全体をレビューした後に、本開示の他の態様、利点、および、特徴が、明らかとなろう。
【図面の簡単な説明】
【００１１】
【図１】図１は、複数の加入を持つ移動体通信デバイスの単一のＢＢ−ＲＦリソースチェーンへのアクセスを調停するシステムの特定の例示的な実施形態のダイヤグラムである。
【図２】図２は、受信ダイバーシティをサポートするモデムを利用して、複数の加入に関連する通信データを処理するシステムの特定の例示的な実施形態のダイヤグラムである。
【図３】図３は、受信ダイバーシティをサポートするモデムを利用して、複数の加入に関連する通信データを処理することを図示したチャートである。
【図４】図４は、受信ダイバーシティをサポートするモデムを利用して、複数の加入に関連する通信データを処理する方法の第１の例示的な実施形態のフローチャートである。
【図５】図５は、受信ダイバーシティをサポートするモデムを利用して、複数の加入に関連する通信データを処理する方法の第２の例示的な実施形態のフローチャートである。
【図６】図６は、受信ダイバーシティをサポートするモデムを利用して、複数の加入に関連する通信データを処理する方法の第３の例示的な実施形態のフローチャートである。
【図７】図７は、単一のＢＢ−ＲＦリソースチェーンへのアクセスを共有する複数の加入を持つ移動体通信デバイスのブロックダイヤグラムである。
【詳細な説明】
【００１２】
本開示は、優先度の高い加入またはアクティビティに関する性能の影響を管理するために、マルチ加入移動体通信デバイスの単一のＢＢ−ＲＦリソースチェーンへのアクセスの調停を説明する。本開示はまた、別々の専用ＢＢ−ＲＦリソースチェーンがなくとも、複数の加入に関連する通信データ（例えば、音声通話データまたはパケット交換されたＩＰデータ）を並行して受信する能力を提供する、モデムの受信ダイバーシティ能力の使用を説明する。
【００１３】
図１を参照すると、複数の加入を含む移動体通信デバイスの単一のＢＢ−ＲＦリソースチェーン１０４へのアクセスを調停するシステムの特定の実施形態が図示されており、概して１００と示されている。システム１００は、複数の加入を持つ移動体通信デバイス１０２（例えば、移動体電話機）を含む。例えば、各加入は、加入識別モジュール（ＳＩＭ）、コード分割多元接続（ＣＤＭＡ）リムーバブルユーザ識別モジュール（ＣＤＭＡ Ｒ−ＵＩＭ）、または、他のタイプのＲ−ＵＩＭのような、それ自体の識別モジュールに関係付けられていてもよい。代替的に、各加入は、共通の識別モジュール（例えば、共通のＳＩＭ）に関係付けられていてもよい。図１において図示されている実施形態では、デバイス１０２は、単一のＢＢ−ＲＦリソースチェーン１０４の１つ以上のリソースへのアクセスを共有する複数のＳＩＭを受け取ることができる。図１において図示されている実施形態では、移動体通信デバイス１０２は、デュアルＳＩＭデュアルスタンバイ（ＤＳＤＳ）デバイスであり、ＤＳＤＳデバイスは、第１の加入に関係付けられている第１のＳＩＭ１０８を受け取るための第１のＳＩＭインターフェース１０６と、第２の加入に関係付けられている第２のＳＩＭ１１２を受け取るための第２のＳＩＭインターフェース１１０とを含む。例えば、ＳＩＭ１０８、１１２は、それぞれのＳＩＭインターフェース１０６、１１０に差し込まれてもよく、または、そうでなければ、接続されてもよい。第１のＳＩＭ１０８および第２のＳＩＭ１１２は、（例えば、ＳＩＭインターフェース１０６、１１０と、単一のＢＢ−ＲＦリソースチェーン１０４との間の電気的な接続を介して、）単一のＢＢ−ＲＦリソースチェーン１０４に通信可能に結合されてもよい。例示のために、第１のＳＩＭインターフェース１０６と、単一のＢＢ−ＲＦリソースチェーン１０４との間の第１の電気的な接続は、第１のＳＩＭ１０６が第１のＳＩＭインターフェース１０６に接続されているときに、第１のＳＩＭ１０８と、単一のＢＢ−ＲＦリソースチェーン１０４との間に通信パスを提供してもよい。別の例として、第２のＳＩＭインターフェース１１０と、単一のＢＢ−ＲＦリソースチェーン１０４との間の第２の電気的な接続は、第２のＳＩＭ１１２が第２のＳＩＭインターフェース１１０に接続されているときに、第２のＳＩＭ１１２と、単一のＢＢ−ＲＦリソースチェーン１０４との間に通信パスを提供してもよい。
【００１４】
移動体通信デバイス１０２はまた、単一のＢＢ−ＲＦリソースチェーン１０４に通信可能に結合されている制御装置１１４を備えている。制御装置１１４は、第１の加入に対応する第１のアクティビティを、または、第２の加入に対応する第２のアクティビティを実行するために、単一のＢＢ−ＲＦリソースチェーン１０４へのアクセスを調停するように構成されている。図１において図示されている実施形態では、移動体通信デバイス１０２の単一のＢＢ−ＲＦリソースチェーン１０４は、１つ以上のＲＦリソース１１５と、モデム１１６と、ＢＢプロセッサ１１７とを備えている。単一のＢＢ−ＲＦリソースチェーン１０４は、モデム１１６の１つ以上の信号入力１２０に関係付けられている１つ以上のアンテナ１１８に通信可能に結合されている。図１では、ＢＢプロセッサ１１７とは別のものとしてモデム１１６が図示されているが、代替的な実施形態では、モデム１１６およびＢＢプロセッサ１０４は、合わせてパッケージ化されていてもよい。第１のネットワーク１２２は、第１の加入に関係付けられていてもよく、第２のネットワーク１２４は、第２の加入に関係付けられていてもよい。例えば、第１の加入は、第１のネットワーク１２２により提供されるデータサービスに関係付けられていてもよく、第２の加入は、第２のネットワーク１２４により提供される音声サービスに関係付けられていてもよい。
【００１５】
１つの加入またはアクティビティは、別の加入またはアクティビティより優先度が高いと考えられてもよい。例えば、移動体発（ＭＯ）の音声通話または移動体着（ＭＴ）の音声通話は、別の加入上の進行中のデータセッション（例えば、低データレートアプリケーションに関係付けられているデータセッション）よりも優先度の高いアクティビティだと考えられてもよい。低データレートの“バーストする”アプリケーション（例えば、プッシュｅメール、インスタントメッセージング等）は、（いくつかのシナリオでは、時間の３０〜５０％と同じだけ）拡張された時間の期間の間、移動体通信デバイス１０２が、データ加入に対して接続状態にあることをもたらすかもしれない。より優先度の高い加入またはアクティビティに対する性能の低下の可能性を減少させるために、制御装置１１４は、単一のＢＢ−ＲＦリソースチェーン１０４へのアクセスを調停してもよい。
【００１６】
動作において、制御装置１１４は、第２のアクティビティ１２８（例えば、第２のネットワーク１２４による音声通話）が、単一のＢＢ−ＲＦリソースチェーン１０４により処理されるべきであることを示す情報を受信したことに応答して、単一のＢＢ−ＲＦリソースチェーン１０４により処理されている第１のアクティビティ１２６（例えば、第１のネットワーク１２２によるデータセッション）を中断してもよい。例えば、ＭＯ音声通話のケースでは、制御装置１１４は、音声通話（例えば、第２のアクティビティ１２８）を発信する前に、進行中のデータセッションを中断してもよい（例えば、第１のアクティビティ１２６を一時停止してもよい）。したがって、ユーザは、別の加入上で、インタラクティブな／バックグラウンドのデータセッション（例えば、ウェブダウンロード、バックグラウンドｅメール）に携わりながら、１つの加入上で、音声通話を開始できることがある。別の例として、ＭＴ音声通話のケースでは、制御装置１１４は、到来通話の受信が可能になるように、他の加入上でのページの監視から“離調”するようモデム１１６に命令してもよい。したがって、ユーザは、別の加入上で、インタラクティブな／バックグラウンドのデータセッション（例えば、ウェブダウンロード、バックグラウンドｅメール）に携わりながら、１つの加入上で、音声通話を受信できることがある。データセッションの中断の間に、制御装置１１４は、追加のデータの転送を妨げてもよい。音声通話の終了後に、可能な場合には（例えば、プロトコルスタックタイマーが満了していない場合には）データセッションが再開されてもよく、または、アプリケーションレイヤアクションにより、データセッションが再度開始されてもよい。
【００１７】
ユーザ構成可能な優先度の加入を使用して、モデム／ＲＦリソース（例えば、単一のＢＢ−ＲＦリソースチェーン１０４の１つ以上のリソース）の共有を調停してもよい。このような調停は、リソースを共有している複数の加入に関係するページング衝突に起因する、ユーザ指定の加入に対する性能の影響を制限することができる。さらに、加入にわたっての異なるタイプのアクティビティの調停（例えば、１つの加入上でのページング受信対別の加入上での測定）は、アクティビティの相対的な重要度に基づいて、実行できる。例えば、制御装置１１４は、ユーザ選択された加入の優先度に基づいて、および、第２のアクティビティ１２８と比較した、第１のアクティビティ１２６の相対的な重要度にさらに基づいて、単一のＢＢ−ＲＦリソースチェーン１０４へのアクセスを調停するように構成されていてもよい。例示のために、第１の加入は、音声通話に対して使用されてもよく、データセッションに対して使用される第２の加入よりも優先度の高い加入だと考えられてもよい。別の例として、特定のタイプのデータセッション（例えば、テレビ電話セッション）は、音声通話よりも優先度の高いアクティビティだと考えられてもよい。より優先度の高い加入またはアクティビティが、ページング衝突に起因してページを欠落する可能性を減少させるために、時間共有のページングスケジュールが調節されてもよい。
【００１８】
ユーザは、異なる加入上の異なるサービスへのアクセスを有していてもよい。識別サービスでさえ、異なる性能またはコストに関係付けられていてもよい。そうであるので、制御装置１１４は、データ加入管理の目的のために、単一のＢＢ−ＲＦリソースチェーン１０４へのアクセスを調停してもよい。特定の実施形態では、第１の加入または第２の加入のいずれかを、データセッションを行うためのデフォルト加入として指定するデフォルト設定に基づいて、データセッション（例えば、第１のアクティビティ１２６）が行われてもよい。１つの実施形態では、デフォルト加入は、ユーザ選択可能である。例示のために、ユーザは、第１の加入が、指定されたデータ加入であるように構成してもよい。図１において図示されている実施形態では、コスト、ダウンロードスピード、または、他の理由のために、第１のネットワーク１２２を使用して、ウェブブラウジング、ｅメールダウンロード等を実行してもよい。別の例として、セキュアユーザプレーン（ＳＵＰＬ）のような、グローバルポジショニングシステム（ＧＰＳ）ネットワーク支援型プロトコルに対して、ネットワーク固有である何らかの情報があることがある。搬送波固有のＧＰＳアプリケーションが開始されたときに、ネットワーク固有の情報を提供する、ネットワークに関係付けられている加入が使用されてもよい。さらなる例として、搬送波固有の専門サービスへのアクセスが、加入者用に制限されていることがある。これらのサービスにアクセスするアプリケーションに対して、ユーザは、加入を特定することを選んでもよい。特定の実施形態では、データ加入管理は、加入の指定を可能にする、アプリケーション−モデムアプリケーションプログラミングインターフェース（ＡＰＩ）への拡張を含んでもよい。搬送波対応、相手先商標製品製造（ＯＥＭ）コンフィギュレーション、ユーザコンフィギュレーション、または、これらの組み合わせが、データ加入管理のために使用されてもよい。したがって、図１のシステム１００は、単一のＢＢ−ＲＦリソースチェーン１０４へのアクセスを調停することによって、優先度の高い加入またはアクティビティに対する性能の影響（例えば、セッション中断、欠落した通話）を減少させることができる。
【００１９】
図２を参照すると、受信ダイバーシティをサポートするモデムを利用して、複数の加入に関連する通信データを処理するシステムの特定の実施形態が図示されており、概して２００と示されている。モデムが受信ダイバーシティをサポートしているときに、送信機の使用を必要としない並行処理（例えば、タイミングクリティカルでない捕捉、または、チャネルメンテナンス手順、あるいは、タイミングクリティカルなページ復調手順）がサポートされてもよい。モデムの受信ダイバーシティ能力を利用して、異なる加入に関連する通信データを、異なるＲＦ処理パスを介して、異なる信号入力にルーティングしてもよい。
【００２０】
システム２００は、複数の加入を持つ移動体通信デバイス２０２（例えば、移動体電話機）を含む。例えば、各加入は、それ自体の識別モジュール（例えば、ＳＩＭ、ＣＤＭＡ Ｒ−ＵＩＭ、または、他のタイプのＲ−ＵＩＭ）に関係付けられていてもよい。代替的に、各加入は、共通の識別モジュール（例えば、共通ＳＩＭ）に関係付けられていてもよい。図２において図示されている実施形態では、デバイス２０２は、単一のＢＢ−ＲＦリソースチェーン（例えば、図１の単一のＢＢ−ＲＦリソースチェーン１０４）へのアクセスを共有する複数のＳＩＭを受け取ることができる。図２において図示されている実施形態では、移動体通信デバイス２０２は、第１の加入に関係付けられている第１のＳＩＭ２０８を受け取るための第１のＳＩＭインターフェース２０６と、第２の加入に関係付けられている第２のＳＩＭ２１２を受け取るための第２のＳＩＭインターフェース２１０とを備える。第１のＳＩＭ２０８および第２のＳＩＭ２１２は、単一のＢＢ−ＲＦリソースチェーンに通信可能に結合されていてもよい。
【００２１】
移動体通信デバイス２０２はまた、単一のＢＢ−ＲＦリソースチェーンに通信可能に結合されている制御装置２１４を備える。制御装置２１４は、第１の加入に対応する第１のアクティビティを、または、第２の加入に対応する第２のアクティビティを実行するために、単一のＢＢ−ＲＦリソースチェーンへのアクセスを調停するように構成されている。移動体通信デバイス２０２は、受信ダイバーシティをサポートするモデム２１６を備えている。図２では、ＢＢプロセッサ２０４とは別のものとしてモデム２１６が図示されているが、代替的な実施形態では、モデム２１６およびＢＢプロセッサ２０４は、合わせてパッケージ化されていてもよい。第１のネットワーク２２２は、第１の加入に関係付けられていてもよく、第２のネットワーク２２４は、第２の加入に関係付けられていてもよい。
【００２２】
図２において図示されている実施形態では、モデム２１６は、１次信号入力２３０と、２次信号入力２３２とを含む。モデム２１６は、制御装置２１４に応答して、第１の加入に関連する第１の通信データ２３４を、１次信号入力２３０において受信する。第１の通信データ２３４（例えば、ＩＱシンボル）は、１次ＲＦ処理パス２３６（例えば、１次受信チェーン）を介して、１次信号入力２３０にルーティングされてもよい。モデム２１６は、制御装置２１４にさらに応答して、第２の加入に関連する第２の通信データ２３８を、２次信号入力２３２において受信する。第２の通信データ２３８（例えば、ＩＱシンボル）は、２次ＲＦ処理パス２４０（例えば、ダイバーシティ受信チェーン）を介して、２次信号入力２３２にルーティングされてもよい。モデム２１６は、制御装置２１４に応答して、第１の加入に関連する第１の通信データ２３４を処理し、第２の加入に関連する第２の通信データ２３８を処理する。
【００２３】
図２において図示されている実施形態では、移動体通信デバイス２０２は、１次ＲＦ処理パス２３６に関係付けられている１次アンテナ２４２を備えている。第１のアナログデジタル（Ａ−Ｄ）コンバータ２４４は、１次アンテナ２４０と、１次ＲＦ処理パス２３６を介して１次信号入力２３０とに、通信可能に結合されていてもよい。第１のＡ−Ｄコンバータ２４４および（示されていない）他の受信機回路は、１次アンテナ２４２において受信したアナログ信号を、デジタルデータ（例えば、第１の通信データ２３４）に変換してもよい。移動体通信デバイス２０２はまた、２次ＲＦ処理パス２４０（例えば、ダイバーシティ受信チェーン）に関係付けられている２次アンテナ２４６（例えば、ダイバーシティアンテナ）を備えている。第２のＡ−Ｄコンバータ２４８は、２次アンテナ２４６と、２次ＲＦ処理パス２４０を介して２次信号入力２３２とに、通信可能に結合されていてもよい。第２のＡ−Ｄコンバータ２４８および（示されていない）他の受信機回路は、２次アンテナ２４６において受信したアナログ信号を、デジタルデータ（例えば、第２の通信データ２３８）に変換してもよい。
【００２４】
動作において、第１の通信データ２３４は、１次ＲＦ処理パス２３６を介して、モデム２１６の１次信号入力２３０にルーティングされてもよい。第２の通信データ２３８は、２次ＲＦ処理パス２４０を介して、モデム２１６の２次信号入力２３２にルーティングされてもよい。第１の通信データ２３４および第２の通信データ２３８は、モデム２１６において処理されてもよい。受信ダイバーシティをサポートするモデム２１６は、複数の専用ＢＢ−ＲＦリソースチェーンがなくとも、“同時”デュアル受信能力を提供できる。例えば、第１の通信データ２３４は、第１の加入上のタイミングクリティカルでない捕捉またはチャネルメンテナンス手順に関係付けられていてもよく、第２の通信データ２３８は、第２の加入上の別のタイミングクリティカルでない捕捉またはチャネルメンテナンス手順に関係付けられていてもよい。別の例として、第１の通信データ２３４は、第１の加入上の到来通話に対するタイミングクリティカルなページ復調に関係付けられていてもよく、第２の通信データ２３８は、第２の加入上の別の到来通話に対する別のタイミングクリティカルなページ復調に関係付けられていてもよい。
【００２５】
第２の通信データ２３８が、（Ｄ−Ａコンバータ２５２を介してモデム２１６に結合されている）送信機２５０の使用を必要とする手順に関係付けられているときに、並行処理は、サポートされないことがある（図３参照）。すなわち、モデム２１６は、１度に１つの通話のみをサポートできる。例えば、第１の通信データ２３４が、音声通話情報またはデータ通話情報（例えば、汎用パケット無線サービス（ＧＰＲＳ）データ通話情報）を含んでいるときに、第２の通信データ２３８が、送信機２５０の使用を必要とする手順に関係付けられている（例えば、他の加入上の、音声またはデータ通話）とき、第２の通信データ２３８は、モデム２１６において処理されないことがある。別の例として、第１の通信データ２３４が、優先度の低いデータ通話に関係付けられているときに、第２の通信データ２３８が、送信機２５０の使用を必要とする手順に関係付けられている（例えば、別の加入上の音声通話）とき、第２のデータ２３８は、モデム２１６において処理されないことがある。
【００２６】
図２は、別々の専用ＢＢ−ＲＦリソースチェーンを使用することなく、複数の加入に関連する通信データを同時に受信する能力を、モデム２１６の受信ダイバーシティ能力が提供してもよいことを図示している。したがって、このケースでは、制御装置２１４は、音声通話（例えば、図１の第２のアクティビティ１２８）を受信または発信する前に、進行中のデータセッション（例えば、図１の第１のアクティビティ１２６）を中断する必要がないことがある。さらに、１次アンテナ２４６および２次アンテナ２４８は、２つの加入上でのページの同時監視を可能にしてもよい。
【００２７】
図３を参照すると、受信ダイバーシティをサポートするモデムを利用して、複数の加入に関連する通信データを処理することを図示したチャートが、概して３００と示されている。図３は、受信ダイバーシティ能力を持つモデム（例えば、図２のモデム２１６）が、単一のＢＢ−ＲＦリソースチェーンに“同時デュアル受信”能力を提供してもよいことを図示している。
【００２８】
図３は、受信ダイバーシティをサポートするモデム（例えば、図２のモデム２１６）が、“同時デュアル受信”コンフィギュレーションにおいて、あるアクティビティを並行してサポートできることを図示している。例示のために、“同時デュアル受信”コンフィギュレーションは、第１の加入上の音声通話またはデータ通話（例えば、ＧＰＲＳデータ通話）と、第２の加入上のタイミングクリティカルでない捕捉またはチャネルメンテナンス手順とを同時にサポートしてもよい。さらに、“同時デュアル受信”コンフィギュレーションは、第１の加入上の音声通話またはデータ通話（例えば、ＧＰＲＳデータ通話）と、第２の加入上の、別の到来通話に対するタイミングクリティカルなページ復調手順とを並行してサポートしてもよい。
【００２９】
図３は、受信ダイバーシティをサポートするモデム（例えば、図２のモデム２１６）が、“同時デュアル受信”コンフィギュレーションにおいて、あるアクティビティを並行してサポートできることを図示している。例えば、“同時デュアル受信”コンフィギュレーションは、タイミングクリティカルでない捕捉またはチャネルメンテナンス手順を並行してサポートしてもよい。別の例として、“同時デュアル受信”コンフィギュレーションは、到来通話に対するタイミングクリティカルなページ復調手順を並行してサポートしてもよい。
【００３０】
図４を参照すると、受信ダイバーシティをサポートするモデムを利用して、複数の加入に関連する通信データを処理する方法の特定の実施形態が説明されている。図４は、受信ダイバーシティ能力を持つモデム（例えば、図２のモデム２１６）が、単一のＢＢ−ＲＦリソースチェーンに“同時”デュアル受信能力を提供してもよいことを説明している。
【００３１】
方法は、４０２において、受信ダイバーシティをサポートするモデムの１次信号入力において、第１の通信データを受信することを含んでいる。複数の加入を持つ移動体通信デバイスは、受信ダイバーシティをサポートするモデムを備えている。例えば、移動体通信デバイスは、図２の移動体通信デバイス２０２であってもよい。第１の通信データは、第１の加入に関連しており、１次ＲＦ処理パスを介して、モデムの１次信号入力にルーティングされる。例示のために、図２のモデム２１６は、１次信号入力２３０において、第１の通信データ２３４を受信してもよく、第１の通信データ２３４は、１次ＲＦ処理パス２３６を介して、１次信号入力２３０にルーティングされてもよい。
【００３２】
方法は、４０４において、モデムの２次信号入力において、第２の加入に関連する第２の通信データを受信することも含んでいる。第２の通信データは、２次ＲＦ処理パスを介して、２次信号入力にルーティングされる。例示のために、図２のモデム２１６は、２次信号入力２３２において、第２の通信データ２３８を受信してもよく、第２の通信データ２３８は、２次ＲＦ処理パス２４０を介して、２次信号入力２３２にルーティングされてもよい。
【００３３】
方法は、４０６において、モデムにおいて、第１の加入に関連する第１の通信データを処理し、第２の加入に関連する第２の通信データを処理することを含む。例示のために、図２のモデム２１６は、第１の通信データ２３４と第２の通信データ２３８とを処理してもよい。したがって、図４は、モデムの受信ダイバーシティ能力が、（それぞれが異なるＳＩＭに関係付けられている）複数の加入に関連する通信データを同時に受信するための能力を提供してもよいことを説明している。
【００３４】
図５を参照すると、受信ダイバーシティをサポートするモデムを利用して、複数の加入に関連する通信データを処理する方法の特定の実施形態が説明されている。図５は、複数の加入を持つ移動体通信デバイスが、受信ダイバーシティ能力を持つモデム（例えば、図２のモデム２１６）を利用して、単一の共有されているＢＢ−ＲＦリソースチェーンに“同時”デュアル受信能力を提供してもよいことを説明している。例えば、移動体通信デバイスは、図２の移動体通信デバイス２０２であってもよい。
【００３５】
方法は、５０２において、受信ダイバーシティをサポートするモデムの１次信号入力において、第１の通信データを受信することを含んでいる。第１の通信データは、第１の加入に関連しており、１次ＲＦ処理パスを介して、モデムの１次信号入力にルーティングされる。例示のために、図２のモデム２１６は、１次信号入力２３０において、第１の通信データ２３４を受信してもよく、第１の通信データ２３４は、１次ＲＦ処理パス２３６を介して、１次信号入力２３０にルーティングされてもよい。
【００３６】
方法は、５０４において、モデムの２次信号入力において、第２の加入に関連する第２の通信データを受信することも含んでいる。第２の通信データは、２次ＲＦ処理パスを介して、２次信号入力にルーティングされる。例示のために、図２のモデム２１６は、２次信号入力２３２において、第２の通信データ２３８を受信してもよく、第２の通信データ２３８は、２次ＲＦ処理パス２４０を介して、２次信号入力２３２にルーティングされてもよい。
【００３７】
方法は、５０６において、第１の通信データが、音声通話情報またはデータ通話（例えば、ＧＰＲＳデータ通話）情報を含むか否かを決定することを含んでいる。第１の通信データが、音声通話情報またはデータ通話情報を含まないときに、方法は、５０８において、モデムにおいて、第１の加入に関連する第１の通信データを処理し、第２の加入に関連する第２の通信データを処理することを含む。例えば、図３を参照すると、第１の通信データが、第１の加入上のタイミングクリティカルでない捕捉またはチャネルメンテナンス手順に関係付けられているときに、モデム２１６の受信ダイバーシティ能力は、第２の加入上の別のタイミングクリティカルでない捕捉またはチャネルメンテナンス手順に関係付けられている第２の通信データの同時処理を可能にしてもよい。別の例として、第１の通信データが、第１の加入上の到来通話に対するタイミングクリティカルなページ復調手順に関係付けられているときに、モデム２１６の受信ダイバーシティ能力は、第２の加入上の別の到来通話に対する別のタイミングクリティカルなページ復調手順に関係付けられている第２の通信データの同時処理を可能にしてもよい。
【００３８】
第１の通信データが、音声通話情報またはデータ通話情報を含むときに、方法は、５１０において、第２の通信データが、送信機の使用を必要とする手順に関係付けられているか否かを決定することを含んでいる。第２の通信データが、送信機の使用を必要とする手順に関係付けられているときに、５１２において図示されているように、第２の通信データは、モデムにおいて処理されない。例えば、図３を参照すると、第１の通信データが、第１の加入上の音声通話またはデータ通話に関係付けられており、第２の通信データが、第２の加入上の音声通話またはデータ通話に関係付けられているときに（すなわち、送信機２５０を利用する２つのアクティビティ）、並行処理は、サポートされないことがある。
【００３９】
第１の通信データが、音声通話情報またはデータ通話情報を含んでおり、第２の通信データが、送信機の使用を必要とする手順に関係付けられていないときに、第１の通信データおよび第２の通信データは、並行して処理されてもよく、または、実質的に並行して処理されてもよい。例えば、図３を参照すると、第１の通信データが、第１の加入上の音声通話またはデータ通話（例えば、ＧＰＲＳデータ通話）に関係付けられており、第２の通信データが、第２の加入上のタイミングクリティカルでない捕捉またはチャネルメンテナンス手順に関係付けられているときに、並行処理はサポートされてもよい。別の例として、第１の通信データが、第１の加入上の音声通話またはデータ通話に関係付けられており、第２の通信データが、第２の加入上の到来通話に対するタイミングクリティカルなページ復調手順に関係付けられているときに、並行処理はサポートされてもよい。
【００４０】
図６を参照すると、受信ダイバーシティをサポートするモデムを利用して、複数の加入に関連する通信データを処理する方法の特定の実施形態が、説明されている。図６は、複数の加入を持つ移動体通信デバイスが、受信ダイバーシティ能力を持つモデム（例えば、図２のモデム２１６）を利用して、単一の共有されているＢＢ−ＲＦリソースチェーンに“同時”デュアル受信能力を提供してもよいことを説明している。例えば、移動体通信デバイスは、図２の移動体通信デバイス２０２であってもよい。
【００４１】
方法は、６０２において、受信ダイバーシティをサポートするモデムの１次信号入力において、第１の通信データを受信することを含んでいる。第１の通信データは、第１の加入に関連しており、１次ＲＦ処理パスを介して、モデムの１次信号入力にルーティングされる。例示のために、図２のモデム２１６は、１次信号入力２３０において、第１の通信データ２３４を受信してもよく、第１の通信データ２３４は、１次ＲＦ処理パス２３６を介して、１次信号入力２３０にルーティングされてもよい。
【００４２】
方法は、６０４において、モデムの２次信号入力において、第２の加入に関連する第２の通信データを受信することも含んでいる。第２の通信データは、２次ＲＦ処理パスを介して、２次信号入力にルーティングされる。例示のために、図２のモデム２１６は、２次信号入力２３２において、第２の通信データ２３８を受信してもよく、第２の通信データ２３８は、２次ＲＦ処理パス２４０を介して、２次信号入力２３２にルーティングされてもよい。
【００４３】
方法は、６０６において、第１の通信データが、優先度の低いデータ通話に関係付けられているか否かを決定することを含んでいる。第１の通信データが、優先度の低いデータ通話に関係付けられていないときに、方法は、６０８において、モデムにおいて、第１の加入に関連する第１の通信データを処理し、第２の加入に関連する第２の通信データを処理することを含む。例示のために、図２のモデム２１６は、第１の通信データ２３４と第２の通信データ２３８とを処理してもよい。例えば、図３を参照すると、第１の通信データが、第１の加入上のタイミングクリティカルでない捕捉またはチャネルメンテナンス手順に関係付けられているときに、モデム２１６の受信ダイバーシティ能力は、第２の加入上の別のタイミングクリティカルでない捕捉またはチャネルメンテナンス手順に関係付けられている第２の通信データの同時処理を可能にしてもよい。別の例として、第１の通信データが、第１の加入上の到来通話に対するタイミングクリティカルなページ復調手順に関係付けられているときに、モデム２１６の受信ダイバーシティ能力は、第２の加入上の別の到来通話に対する別のタイミングクリティカルなページ復調手順に関係付けられている第２の通信データの同時処理を可能にしてもよい。
【００４４】
第１の通信データが、優先度の低いデータ通話に関係付けられているときに、方法は、６１０において、第２の通信データが、送信機の使用を必要とする手順に関係付けられているか否かを決定することを含んでいる。第２の通信データが、送信機の使用を必要とする手順に関係付けられているときに、６１２において図示されているように、第２の通信データは、モデムにおいて処理されない。例えば、図３を参照すると、第１の通信データが、第１の加入上の優先度の低いデータ通話に関係付けられており、第２の通信データが、第２の加入上の音声通話またはデータ通話に関係付けられているときに（すなわち、送信機２５０を利用する２つのアクティビティ）、並行処理はサポートされないことがある。
【００４５】
第１の通信データが、第１の加入上の優先度の低いデータ通話に関係付けられており、第２の通信データが、送信機の使用を必要とする手順に関係付けられていないときに、第１の通信データおよび第２の通信データは、並行して処理されてもよく、または、実質的に並行して処理されてもよい。例えば、図３を参照すると、第１の通信データが、第１の加入上の優先度の低いデータ通話に関係付けられており、第２の通信データが、第２の加入上のタイミングクリティカルでない捕捉またはチャネルメンテナンス手順に関係付けられているときに、並行処理はサポートされてもよい。別の例として、第１の通信データが、第１の加入上の優先度の低いデータ通話に関係付けられており、第２の通信データが、第２の加入上の到来通話に対するタイミングクリティカルなページ復調手順に関係付けられているときに、並行処理はサポートされてもよい。
【００４６】
図４〜図６は、モデム（例えば、図２のモデム２１６）の受信ダイバーシティ能力を使用して、異なる加入に対する別々の専用ＢＢ−ＲＦリソースチェーンがなくとも、異なる加入上での同時サービスをサポートできることを説明している。
【００４７】
図７を参照すると、移動体通信デバイスの特定の例示的な実施形態のブロックダイヤグラムが描写されており、概して７００と示されている。１つの実施形態では、図７の移動体通信デバイス７００は、図１の移動体通信デバイス１０２または図２の移動体通信デバイス２０２を含み、あるいは、図１の移動体通信デバイス１０２内または図２の移動体通信デバイス２０２内に含まれる。さらに、図４〜図６において説明した方法のすべてまたはその一部は、図７の移動体通信デバイス７００において、あるいは、図７の移動体通信デバイス７００によって、実行されてもよい。移動体通信デバイス７００は、デジタル信号プロセッサ（ＤＳＰ）７１０のような、メモリ７３２に結合されているプロセッサを備えている。
【００４８】
図７において図示されている実施形態では、移動体通信デバイス７００は、第１のＳＩＭインターフェース７７０と、第２のＳＩＭインターフェース７７４とを備えている。第１のＳＩＭインターフェース７７０は、第１の加入に関係付けられている第１の識別モジュール（例えば、第１のＳＩＭ７７２）を受け取る機能を実行してもよく、第２のＳＩＭインターフェース７７４は、第２の加入に関係付けられている第２の識別モジュール（例えば、第２のＳＩＭ７７６）を受け取る機能を実行してもよい。例えば、ＳＩＭインターフェース７７０、７７４のうちの少なくとも１つは、ＳＩＭカードのための収容スペースと、受け取ったＳＩＭカードの導体端子を受け取るための複数の接続されるレセプタクルとを有するボディを備えるＳＩＭカードコネクタであってもよい。ＳＩＭカードとの電気的なシグナリングコンタクトは、導体端子およびレセプタクルにより行うことができる。例示的なインターフェースは、シリアルなあるいはパラレルな（例えば、６ピンまたは８ピン）接続を含んでもよい。さらに、複数のＳＩＭカードサイズが適応されていてもよい（例えば、フルサイズ、ミニＳＩＭ、または、マイクロＳＩＭ）。代替的な実施形態では、移動体通信デバイス７００は、複数の加入が、共通の識別モジュール（例えば、共通ＳＩＭ）に関係付けられているときに、複数のＳＩＭインターフェースを含まなくてもよい。
【００４９】
図７はまた、デジタル信号プロセッサ７１０とディスプレイ７２８とに結合されているディスプレイ制御装置７２６を示している。コーダ／デコーダ（コーデック）７３４は、デジタル信号プロセッサ７１０にも結合できる。スピーカー７３６およびマイクロフォン７３８は、コーデック７３４に結合できる。図７はまた、制御装置７４０（例えば、図１の制御装置１１４および図２の制御装置２１４）が、デジタル信号プロセッサ７１０に、ならびに、１つ以上のワイヤレスアンテナ（例えば、第１のワイヤレスアンテナ７４２および第２のワイヤレスアンテナ７４３）および少なくとも１つの送信機７８０と通信しているモデム７４１に、結合できることを示している。特定の実施形態では、モデム７４１は、受信ダイバーシティをサポートし（例えば、モデム７４１は、図２のモデム２１６を含んでもよい）、ここで、第１のワイヤレスアンテナ７４２は１次アンテナ（例えば、図２の１次アンテナ２４２）であり、第２のワイヤレスアンテナ７４３は、２次アンテナ（例えば、図２の２次アンテナ２４６）である。
【００５０】
メモリ７３２は、命令７６０を記憶する、一時的でない有体的コンピュータ読取可能記憶媒体である。命令７６０は、ＤＳＰ７１０により実行可能であってもよい。例えば、命令７６０は、受信ダイバーシティをサポートするモデム７４１の１次信号入力において、第１の加入に関連する第１の通信データを受信するための、ＤＳＰ７１０によって実行可能な命令を含んでもよい。第１の通信データは、１次ＲＦ処理パスを介して、モデム７４１の１次信号入力にルーティングされてもよい（図７には示されていないが、図２を参照）。命令７６０は、モデム７４１の２次信号入力において、第２の加入に関連する第２の通信データを受信するための、ＤＳＰ７１０によって実行可能な命令を含んでもよい。第２の通信データは、２次ＲＦ処理パスを介して、モデム７４１の２次信号入力にルーティングされてもよい（図７には示されていないが、図２を参照）。命令７６０は、第１の加入に関連する第１の通信データを処理し、第２の加入に関連する第２の通信データを処理するための、ＤＳＰ７１０によって実行可能な命令を含んでもよい。
【００５１】
特定の実施形態では、命令７６０は、第１の通信データが、音声通話情報またはデータ通話（例えば、ＧＰＲＳデータ通話）情報を含むか否かを決定するための、ＤＳＰ７１０によって実行可能な命令を含んでもよい。第１の通信データが、音声通話情報またはデータ通話情報を含むという決定に応答して、第２の通信データが、送信機７８０の使用を必要とする手順に関係付けられているときに、第２の通信データは、処理されないことがある。別の特定の実施形態では、命令７６０は、第１の通信データが、優先度の低いデータ通話に関係付けられているか否かを決定するための、ＤＳＰ７１０によって実行可能な命令を含んでもよい。第１の通信データが、優先度の低いデータ通話に関係付けられているという決定に応答して、第２の通信データが、送信機７８０の使用を必要とする手順に関係付けられているときに、第２の通信データは、処理されないことがある。複数の加入がサポートされていないシナリオ（例えば、それぞれが送信機７８０を必要とする複数の通話）では、命令７６０は、１つ以上の代替的なアクション（例えば、一時停止、拒絶メッセージ、タイムアウト等）を取るための、ＤＳＰ７１０によって実行可能な命令を含んでもよい。
【００５２】
メモリ７３２はまた、加入の優先度情報７６２と、アクティビティ重要度情報７６４と、デフォルト加入情報７６６とを含んでいてもよい。加入の優先度情報７６２は、ユーザ選択された加入の優先度を含んでもよい。例えば、第１の加入は、音声通話に対して使用されてもよく、データセッションに対して使用される第２の加入よりも優先度の高い加入だと考えられてもよい。アクティビティ重要度情報７６４は、第２のアクティビティと比較した、第１のアクティビティの相対的な重要度を含んでもよい。例えば、特定のタイプのデータセッション（例えば、テレビ電話セッション）は、音声通話よりも優先度の高いアクティビティだと考えられてもよい。特定の実施形態では、デフォルト加入情報７６６は、データセッションを行うためのデフォルト加入として、第１の加入を、または、第２の加入を指定してもよい。デフォルト加入は、ユーザ選択可能であってもよい。例示のために、ユーザは、第１の加入が、指定されたデータ加入であるように構成してもよく、デフォルト加入情報７６６として、この情報が記憶されてもよい。
【００５３】
特定の実施形態では、入力デバイス７３０は、ユーザ選択された加入の優先度（例えば、加入の優先度情報７６２）や、データセッションを行うためのデフォルト加入として、第１の加入を、または、第２の加入を指定するデフォルト設定のユーザ選択（例えば、デフォルト加入情報７６６）や、アクティビティ重要度情報７６４や、または、これらの組み合わせを受信する機能を実行してもよい。
【００５４】
制御装置７４０は、第１の加入に対応する第１のアクティビティを、または、第２の加入に対応する第２のアクティビティを実行するために、単一のＢＢ−ＲＦリソースチェーンへのアクセス（例えば、１つ以上のＲＦリソース、モデム７４１、ＤＳＰ７１０、または、これらの組み合わせへのアクセス）を調停する機能を実行してもよい。調停は、加入の優先度情報７６２、アクティビティ重要度情報７６４、デフォルト加入情報７６６、または、これらの組み合わせに基づいてもよい。例えば、ＤＳＰ７１０へのアクセスは、第２のアクティビティの優先度および相対的な重要度と比較した、第１のアクティビティのユーザ選択された加入の優先度および相対的な重要度に基づいてもよい。例えば、特定の実施形態では、制御装置７４０は、音声通話がＤＳＰ７１０によって処理されるべきであることを示す情報を受信したことに応答して、ＤＳＰ７１０によって処理されているデータセッションを中断する機能を実行してもよい。
【００５５】
特定の実施形態では、ＤＳＰ７１０と、ディスプレイ制御装置７２６と、メモリ７３２と、コーデック７３４と、制御装置７４０と、モデム７４１は、システムインパッケージデバイスまたはシステムオンチップデバイス７２２中に含まれている。特定の実施形態では、入力デバイス７３０および電源７４４は、システムオンチップデバイス７２２に結合されている。さらに、特定の実施形態では、図７において図示されているように、ディスプレイデバイス７２８と、入力デバイス７３０と、スピーカー７３６と、マイクロフォン７３８と、ワイヤレスアンテナ７４２、７４３と、送信機７８０と、電源７４４と、第１のＳＩＭ７７２と、第１のＳＩＭインターフェース７７０と、第２のＳＩＭ７７６と、第２のＳＩＭインターフェース７７４とは、システムオンチップデバイス７２２の外部にある。しかしながら、ディスプレイデバイス７２８と、入力デバイス７３０と、スピーカー７３６と、マイクロフォン７３８と、ワイヤレスアンテナ７４２、７４３と、送信機７８０と、電源７４４と、第１のＳＩＭ７７２と、第１のＳＩＭインターフェース７７０と、第２のＳＩＭ７７６と、第２のＳＩＭインターフェース７７４のそれぞれは、インターフェースまたは制御装置のような、システムオンチップデバイス７２２のコンポーネントに結合できる。
【００５６】
ここで開示した実施形態に関連して説明した、さまざまな例示的な論理ブロック、コンフィギュレーション、モジュール、回路およびアルゴリズムステップが、電子ハードウェア、コンピュータソフトウェア、あるいは双方の組み合わせたものとして実現されてもよいことを当業者はさらに正しく認識するであろう。さまざまな例示的なコンポーネント、ブロック、コンフィギュレーション、モジュール、回路、および、ステップを、一般的にこれらの機能性に関して上述した。このような機能性がハードウェアあるいはソフトウェアとして実現されるか否かは、特定の応用および全体的なシステムに課せられた設計の制約に依存する。当業者は、それぞれの特定の応用に対して方法を変化させて、説明した機能性を実現してもよいが、このようなインプリメンテーション決定は、本開示の範囲からの逸脱を生じさせるものとして解釈すべきではない。
【００５７】
ここで開示した実施形態に関連して説明した方法またはアルゴリズムのステップは、直接、ハードウェアで、プロセッサにより実行されるソフトウェアモジュールで、あるいは、２つの組み合わせで具現化されてもよい。ソフトウェアモジュールは、ランダムアクセスメモリ（ＲＡＭ）、フラッシュメモリ、リードオンリーメモリ（ＲＯＭ）、プログラム可能リードオンリーメモリ（ＰＲＯＭ）、消去可能プログラム可能リードオンリーメモリ（ＥＰＲＯＭ）、電気的消去可能プログラム可能リードオンリーメモリ（ＥＥＰＲＯＭ）、レジスタ、ハードディスク、リムーブバルディスク、コンパクトディスクリードオンリーメモリ（ＣＤ−ＲＯＭ）、または、技術的に知られている他の何らかの形態の一時的でない記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、特定用途向け集積回路（ＡＳＩＣ）に存在してもよい。ＡＳＩＣは、コンピューティングデバイスあるいはユーザ端末（例えば、移動体電話機またはＰＤＡ）に存在してもよい。代替実施形態では、プロセッサおよび記憶媒体は、コンピューティングデバイス中あるいはユーザ端末中のディスクリートコンポーネントとして存在してもよい。
【００５８】
開示した実施形態のこれまでの説明は、開示した実施形態を当業者が製作または使用できるように提供した。これらの実施形態に対するさまざま改良は当業者に容易に明らかとなり、ここに定義された原理は、本開示の範囲を逸脱することなく、他の実施形態に適用されてもよい。したがって、本開示は、ここで開示した実施形態に限定されることを意図しているものではなく、以下の特許請求の範囲により定義されているような原理および新規の特徴と可能な限り一致した最も広い範囲に一致させるべきである。
【図１】
2013521744.tif 000002
【図２】
2013521744.tif 000003
【図３】
2013521744.tif 000004
【図４】
2013521744.tif 000005
【図５】
2013521744.tif 000006
【図６】
2013521744.tif 000007
【図７】
2013521744.tif 000008
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
移動体通信デバイスにおいて、
単一のベースバンド無線周波数（ＢＢ−ＲＦ）リソースチェーンと、
前記単一のＢＢ−ＲＦリソースチェーンに通信可能に結合されており、第１の加入に関係付けられている、第１の識別モジュールと、
前記単一のＢＢ−ＲＦリソースチェーンに通信可能に結合されており、第２の加入に関係付けられている、第２の識別モジュールと、
前記単一のＢＢ−ＲＦリソースチェーンに通信可能に結合されている制御装置とを具備し、
前記制御装置は、前記第１の加入に対応する第１のアクティビティと、前記第２の加入に対応する第２のアクティビティとのうちの１つを実行するために、前記単一のＢＢ−ＲＦリソースチェーンへのアクセスを調停するように構成され、
前記制御装置は、音声通話が、前記単一のＢＢ−ＲＦリソースチェーンにより処理されるべきであることを示す情報を受信したことに応答して、前記単一のＢＢ−ＲＦリソースチェーンによって処理されているデータセッションを中断するように構成されている移動体通信デバイス。
【請求項２】
前記音声通話は、発信音声通話を含む、請求項１記載の移動体通信デバイス。
【請求項３】
前記音声通話は、到来音声通話を含み、前記データセッションは、前記到来音声通話に関係付けられている到来ページを受信するために離調するように中断される、請求項１記載の移動体通信デバイス。
【請求項４】
前記制御装置は、ユーザ選択された加入の優先度に基づいて、および、前記第２のアクティビティと比較した、前記第１のアクティビティの相対的な重要度にさらに基づいて、前記単一のＢＢ−ＲＦリソースチェーンへのアクセスを調停するように構成されている、請求項１記載の移動体通信デバイス。
【請求項５】
前記データセッションは、デフォルト設定に基づいて行われ、前記デフォルト設定は、前記データセッションを行うためのデフォルト加入として、前記第１の加入と、前記第２の加入とのうちの１つを指定する、請求項１記載の移動体通信デバイス。
【請求項６】
前記デフォルト加入は、ユーザ選択可能である、請求項５記載の移動体通信デバイス。
【請求項７】
前記単一のＢＢ−ＲＦリソースチェーンは、
受信ダイバーシティをサポートするモデムを具備し、
前記モデムは、１次信号入力と、２次信号入力とを含み、
前記モデムは、前記制御装置に応答して、
前記１次信号入力において、前記第１の加入に関連する第１の通信データを受信し、
前記２次信号入力において、前記第２の加入に関連する第２の通信データを受信し、
前記第１の加入に関連する第１の通信データを処理し、前記第２の加入に関連する第２の通信データを処理し、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる、請求項１記載の移動体通信デバイス。
【請求項８】
前記第１の通信データは、音声通話情報と、データ通話情報とのうちの１つを含み、前記第２の通信データが、送信機の使用を必要とする手順に関係付けられているときに、前記第２の通信データは、前記モデムにおいて処理されない、請求項７記載の移動体通信デバイス。
【請求項９】
前記第１の通信データは、タイミングクリティカルでない捕捉またはチャネルメンテナンス手順に関係付けられており、前記第２の通信データは、別のタイミングクリティカルでない捕捉またはチャネルメンテナンス手順に関係付けられている、請求項７記載の移動体通信デバイス。
【請求項１０】
前記第１の通信データは、到来通話に対するタイミングクリティカルなページ復調手順に関係付けられており、前記第２の通信データは、別の到来通話に対する別のタイミングクリティカルなページ復調手順に関係付けられている、請求項７記載の移動体通信デバイス。
【請求項１１】
前記第１の通信データは、優先度の低いデータ通話に関係付けられており、前記第２の通信データが、送信機の使用を必要とする手順に関係付けられているときに、前記第２の通信データは、前記モデムにおいて処理されない、請求項７記載の移動体通信デバイス。
【請求項１２】
方法において、
受信ダイバーシティをサポートするモデムの１次信号入力において、移動体通信デバイスの第１の加入に関連する第１の通信データを受信することと、
前記モデムの２次信号入力において、第２の加入に関連する第２の通信データを受信することと、
前記モデムにおいて、前記第１の加入に関連する第１の通信データを処理し、前記第２の加入に関連する第２の通信データを処理することとを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる方法。
【請求項１３】
前記移動体通信デバイスは、前記１次ＲＦ処理パスに関係付けられている１次アンテナを備え、前記移動体通信デバイスは、前記２次ＲＦ処理パスに関係付けられている２次アンテナを備える、請求項１２記載の方法。
【請求項１４】
前記移動体通信デバイスは、前記１次アンテナと通信可能に結合されており、前記１次ＲＦ処理パスを介して前記１次信号入力に通信可能に結合されている第１のアナログデジタルコンバータを備え、前記移動体通信デバイスは、前記２次アンテナに通信可能に結合されており、前記２次ＲＦ処理パスを介して前記２次信号入力に通信可能に結合されている第２のアナログデジタルコンバータを備える、請求項１３記載の方法。
【請求項１５】
装置において、
第１の加入に関係付けられている第１の識別モジュールを受け取る手段と、
第２の加入に関係付けられている第２の識別モジュールを受け取る手段と、
前記第１の加入に対応する第１のアクティビティと、前記第２の加入に対応する第２のアクティビティとのうちの１つを実行するために、単一のベースバンド無線周波数（ＢＢ−ＲＦ）リソースチェーンへのアクセスを調停する手段とを具備し、
前記単一のＢＢ−ＲＦリソースチェーンによって処理されているデータセッションは、音声通話が、前記単一のＢＢ−ＲＦリソースチェーンによって処理されるべきであることを示す情報を受信したことに応答して、中断される装置。
【請求項１６】
ユーザ選択された加入の優先度を受信する手段をさらに具備し、前記単一のＢＢ−ＲＦリソースチェーンへのアクセスは、前記ユーザ選択された加入の優先度と、前記第２のアクティビティと比較した、前記第１のアクティビティの相対的な重要度とに基づいている、請求項１５記載の装置。
【請求項１７】
前記データセッションを行うためのデフォルト加入として、前記第１の加入と、前記第２の加入とのうちの１つを指定するデフォルト設定のユーザ選択を受信する手段をさらに具備する、請求項１６記載の装置。
【請求項１８】
コンピュータ読取可能記憶媒体において、プロセッサによって実行されるときに、前記プロセッサに、
受信ダイバーシティをサポートするモデムの１次信号入力において、移動体通信デバイスの第１の加入に関連する第１の通信データを受信させる命令と、
前記モデムの２次信号入力において、第２の加入に関連する第２の通信データを受信させる命令と、
前記モデムにおいて、前記第１の加入に関連する第１の通信データを処理させ、前記第２の加入に関連する第２の通信データを処理させる命令とを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされるコンピュータ読取可能記憶媒体。
【請求項１９】
前記プロセッサによって実行されるときに、前記プロセッサに、
前記第１の通信データが、音声通話情報とデータ通話情報とのうちの１つを含むか否かを決定させる命令と、
前記第１の通信データが、音声通話情報とデータ通話情報とのうちの１つを含むという決定に応答して、前記第２の通信データが、送信機の使用を必要とする手順に関係付けられているときに、前記第２の通信データを前記モデムにおいて処理させない命令とをさらに含む、請求項１８記載のコンピュータ読取可能記憶媒体。
【請求項２０】
前記プロセッサによって実行されるときに、前記プロセッサに、
前記第１の通信データが、優先度の低いデータ通話に関係付けられているか否かを決定させる命令と、
前記第１の通信データが、優先度の低いデータ通話に関係付けられているという決定に応答して、前記第２の通信データが、送信機の使用を必要とする手順に関係付けられているときに、前記第２の通信データを前記モデムにおいて処理させない命令とをさらに含む、請求項１８記載のコンピュータ読取可能記憶媒体。
【手続補正２】
【補正対象書類名】明細書
【補正対象項目名】００５８
【補正方法】変更
【補正の内容】
【００５８】
開示した実施形態のこれまでの説明は、開示した実施形態を当業者が製作または使用できるように提供した。これらの実施形態に対するさまざま改良は当業者に容易に明らかとなり、ここに定義された原理は、本開示の範囲を逸脱することなく、他の実施形態に適用されてもよい。したがって、本開示は、ここで開示した実施形態に限定されることを意図しているものではなく、以下の特許請求の範囲により定義されているような原理および新規の特徴と可能な限り一致した最も広い範囲に一致させるべきである。  
以下に、本願出願の当初の特許請求の範囲に記載された発明を付記する。
［１］移動体通信デバイスにおいて、
単一のベースバンド無線周波数（ＢＢ−ＲＦ）リソースチェーンと、
前記単一のＢＢ−ＲＦリソースチェーンに通信可能に結合されており、第１の加入に関係付けられている、第１の識別モジュールと、
前記単一のＢＢ−ＲＦリソースチェーンに通信可能に結合されており、第２の加入に関係付けられている、第２の識別モジュールと、
前記単一のＢＢ−ＲＦリソースチェーンに通信可能に結合されている制御装置とを具備し、
前記制御装置は、前記第１の加入に対応する第１のアクティビティと、前記第２の加入に対応する第２のアクティビティとのうちの１つを実行するために、前記単一のＢＢ−ＲＦリソースチェーンへのアクセスを調停するように構成され、
前記制御装置は、音声通話が、前記単一のＢＢ−ＲＦリソースチェーンにより処理されるべきであることを示す情報を受信したことに応答して、前記単一のＢＢ−ＲＦリソースチェーンによって処理されているデータセッションを中断するように構成されている移動体通信デバイス。
［２］前記音声通話は、発信音声通話を含む、上記［１］の移動体通信デバイス。
［３］前記音声通話は、到来音声通話を含み、前記データセッションは、前記到来音声通話に関係付けられている到来ページを受信するために離調するように中断される、上記［１］の移動体通信デバイス。
［４］前記制御装置は、ユーザ選択された加入の優先度に基づいて、および、前記第２のアクティビティと比較した、前記第１のアクティビティの相対的な重要度にさらに基づいて、前記単一のＢＢ−ＲＦリソースチェーンへのアクセスを調停するように構成されている、上記［１］の移動体通信デバイス。
［５］前記データセッションは、デフォルト設定に基づいて行われ、前記デフォルト設定は、前記データセッションを行うためのデフォルト加入として、前記第１の加入と、前記第２の加入とのうちの１つを指定する、上記［１］の移動体通信デバイス。
［６］前記デフォルト加入は、ユーザ選択可能である、上記［５］の移動体通信デバイス。
［７］前記単一のＢＢ−ＲＦリソースチェーンは、
受信ダイバーシティをサポートするモデムを具備し、
前記モデムは、１次信号入力と、２次信号入力とを含み、
前記モデムは、前記制御装置に応答して、
前記１次信号入力において、前記第１の加入に関連する第１の通信データを受信し、
前記２次信号入力において、前記第２の加入に関連する第２の通信データを受信し、
前記第１の加入に関連する第１の通信データを処理し、前記第２の加入に関連する第２の通信データを処理し、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる、上記［１］の移動体通信デバイス。
［８］前記第１の通信データは、音声通話情報と、データ通話情報とのうちの１つを含み、前記第２の通信データが、送信機の使用を必要とする手順に関係付けられているときに、前記第２の通信データは、前記モデムにおいて処理されない、上記［７］の移動体通信デバイス。
［９］前記第１の通信データは、タイミングクリティカルでない捕捉またはチャネルメンテナンス手順に関係付けられており、前記第２の通信データは、別のタイミングクリティカルでない捕捉またはチャネルメンテナンス手順に関係付けられている、上記［７］の移動体通信デバイス。
［１０］前記第１の通信データは、到来通話に対するタイミングクリティカルなページ復調手順に関係付けられており、前記第２の通信データは、別の到来通話に対する別のタイミングクリティカルなページ復調手順に関係付けられている、上記［７］の移動体通信デバイス。
［１１］前記第１の通信データは、優先度の低いデータ通話に関係付けられており、前記第２の通信データが、送信機の使用を必要とする手順に関係付けられているときに、前記第２の通信データは、前記モデムにおいて処理されない、上記［７］の移動体通信デバイス。
［１２］方法において、
受信ダイバーシティをサポートするモデムの１次信号入力において、移動体通信デバイスの第１の加入に関連する第１の通信データを受信することと、
前記モデムの２次信号入力において、第２の加入に関連する第２の通信データを受信することと、
前記モデムにおいて、前記第１の加入に関連する第１の通信データを処理し、前記第２の加入に関連する第２の通信データを処理することとを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされる方法。
［１３］前記移動体通信デバイスは、前記１次ＲＦ処理パスに関係付けられている１次アンテナを備え、前記移動体通信デバイスは、前記２次ＲＦ処理パスに関係付けられている２次アンテナを備える、上記［１２］の方法。
［１４］前記移動体通信デバイスは、前記１次アンテナと通信可能であり、前記１次ＲＦ処理パスを介して前記１次信号入力に通信可能に結合されている、第１のアナログデジタルコンバータを備え、前記移動体通信デバイスは、前記２次アンテナに通信可能に結合されており、前記２次ＲＦ処理パスを介して、前記２次信号入力に通信可能に結合されている、第２のアナログデジタルコンバータを備える、上記［１３］の方法。
［１５］装置において、
第１の加入に関係付けられている第１の識別モジュールを受け取る手段と、
第２の加入に関係付けられている第２の識別モジュールを受け取る手段と、
前記第１の加入に対応する第１のアクティビティと、前記第２の加入に対応する第２のアクティビティとのうちの１つを実行するために、単一のベースバンド無線周波数（ＢＢ−ＲＦ）リソースチェーンへのアクセスを調停する手段とを具備し、
前記単一のＢＢ−ＲＦリソースチェーンによって処理されているデータセッションは、音声通話が、前記単一のＢＢ−ＲＦリソースチェーンによって処理されるべきであることを示す情報を受信したことに応答して、中断される装置。
［１６］ユーザ選択された加入の優先度を受信する手段をさらに具備し、前記単一のＢＢ−ＲＦリソースチェーンへのアクセスは、前記ユーザ選択された加入の優先度と、前記第２のアクティビティと比較した、前記第１のアクティビティの相対的な重要度とに基づいている、上記［１５］の装置。
［１７］前記データセッションを行うためのデフォルト加入として、前記第１の加入と、前記第２の加入とのうちの１つを指定するデフォルト設定のユーザ選択を受信する手段をさらに具備する、上記［１６］の装置。
［１８］コンピュータ読取可能有体的媒体において、プロセッサによって実行されるときに、前記プロセッサに、
受信ダイバーシティをサポートするモデムの１次信号入力において、移動体通信デバイスの第１の加入に関連する第１の通信データを受信させる命令と、
前記モデムの２次信号入力において、第２の加入に関連する第２の通信データを受信させる命令と、
前記モデムにおいて、前記第１の加入に関連する第１の通信データを処理させ、前記第２の加入に関連する第２の通信データを処理させる命令とを含み、
前記第１の通信データは、１次無線周波数（ＲＦ）処理パスを介して、前記１次信号入力にルーティングされ、
前記第２の通信データは、２次ＲＦ処理パスを介して、前記２次信号入力にルーティングされるコンピュータ読取可能有体的媒体。
［１９］前記プロセッサによって実行されるときに、前記プロセッサに、
前記第１の通信データが、音声通話情報とデータ通話情報とのうちの１つを含むか否かを決定させる命令と、
前記第１の通信データが、音声通話情報とデータ通話情報とのうちの１つを含むという決定に応答して、前記第２の通信データが、送信機の使用を必要とする手順に関係付けられているときに、前記第２の通信データを前記モデムにおいて処理させない命令とをさらに含む、上記［１８］のコンピュータ読取可能有体的媒体。
［２０］前記プロセッサによって実行されるときに、前記プロセッサに、
前記第１の通信データが、優先度の低いデータ通話に関係付けられているか否かを決定させる命令と、
前記第１の通信データが、優先度の低いデータ通話に関係付けられているという決定に応答して、前記第２の通信データが、送信機の使用を必要とする手順に関係付けられているときに、前記第２の通信データを前記モデムにおいて処理させない命令とをさらに含む、上記［１８］のコンピュータ読取可能有体的媒体。
【国際調査報告】
2013521744.tif 000009
2013521744.tif 000010
2013521744.tif 000011
2013521744.tif 000012
2013521744.tif 000013